(57)【特許請求の範囲】
【請求項１】
石膏ボードを枠材に締結することに使用する木ねじであって、
先端部を先窄まりに形成すると共に最先端を尖り先にしている軸と、前記軸の基端に設けた頭とを備えており、
前記頭は座面が外向き凹状に湾曲したラッパ形になっており、
前記軸に、互いに平行に延びる第１ねじ山と第２ねじ山との２条のねじ山を、それぞれ前記軸の先端部から立ち上がって前記頭の側に延びるように形成しており、
更に、前記両ねじ山のうち第２ねじ山は、長手方向に沿った途中の境界部を挟んで先端部寄りのエリアでは高さが低くて頭寄りのエリアでは高さが高くなるように形成されている一方、前記第１ねじ山は、略全長にわたって前記第２ねじ山の低い部分と略同じ高さに設定されており、このため、前記２条のねじ山から成るねじ部は、前記第１ねじ山と第２ねじ山と高さが同じ程度になっている同高部と前記第２ねじ山の高さが第１ねじ山の高さより高くなっている異高部とを有していて前記同高部が軸の先端側に位置して異高部が頭側に位置している、
という構成において、
前記同高部と異高部とはストレート状であってテーパ状の連接部を介して繋がっており、前記異高部の谷径を前記同高部の谷径よりも大径に設定しており、このため、同高部の谷径をＤ１、異高部の谷径をＤ２、同高部における両ねじ山の外径をＤ３、異高部における第１ねじ山の外径をＤ４、異高部における第２ねじ山の外径をＤ５とすると、Ｄ１＜Ｄ２、Ｄ３＜Ｄ４＜Ｄ５の関係になっていると共に、更にＤ２＜Ｄ３の関係になっており、
かつ、前記第２ねじ山は、異高部での山の角度を同高部での山の角度よりも小さい角度に設定している、
石膏ボード締結用の２条式木ねじ。
【発明の詳細な説明】
【技術分野】
【０００１】
本願発明は、石膏ボード締結用の２条式木ねじに関するものである。
【背景技術】
【０００２】
木ねじにおいて、ねじ山を二条ねじに形成したものがある。その例として特許文献１には、２条のねじ山をそれぞれ同じ高さに形成したタイプにおいて、ねじ山が存在するねじ部を、頭寄りに位置した上部ねじ部と、先端部寄りに位置した下部ねじ部と、両者の間に位置した中部ねじ部との３つのエリアに分け、上部ねじ部から中部ねじ部、下部ねじ部に到るに従って外径が小さくなるように設定し、更に、隣り合ったねじ部はテーパ部を介して滑らかに連続させることが記載されている。
【０００３】
また、軸のうち先窄まりの先端部を除いた部分をストレート状に形成して、２条のねじ山の高さを、一方のねじ山の高さが低くて他方のねじ山の高さが高くなるように形成することも行われている。このタイプでは、２条のねじ山は、それぞれ立ち上がり部と終端部を除いた部分が全長にわたって同じ高さになっている。
【特許文献１】特許第３４１３８２８号公報
【発明の開示】
【発明が解決しようとする課題】
【０００４】
木ねじは、例えば石膏ボードを木製の枠材に締結する場合など、様々の用途に使用されているが、ねじ込みを迅速に行えること、できるだけ軽い力でねじ込みできること、ねじ込まれる基材に割れが生じないこと、といった機能が要請されている。ベルト状や断面コ字状等の長尺の連結体に多数の木ねじを一定間隔で取り付けて連結ねじと成し、この連結ねじを送り装置付きの動力ドライバに装填して連続的なねじ込み作業を行うことが広く行われているが、このような連結ねじに使用する木ねじの場合は、作業能率の向上や施工品質の安定性の点から、前記した機能が強く要請されている。
【０００５】
木ねじにおいてねじ山を２条に形成すると、１条ねじに比べて１回転当たりの進入量が多くなるため作業能率をアップできる。しかし、特許文献１のように２条のねじ山の高さが同じであると、転造加工上の制約から山の高さをあまり高くできないため、基材への引っ掛かりが悪くなって締結力が低下したり、基材の雌ねじ山が潰れてねじが空回りしてしまうことがある。
【０００６】
すなわち、木ねじの製造工程では、素材の丸棒を一対のダイスの間に挟んで転がして塑性変形させることにより、素材の肉の一部を盛り上げてねじ山と成すのであるが、塑性変形させ得る肉の量には限界があるため、２条のねじ山の高さが同じ同高タイプでは山の高さをあまり高くすることができず、このため、締結力の低下や基材の潰れが生じやすいのである。この問題は、ねじ山のピッチが小さくなるほど顕著に現れる。
【０００７】
これに対して２条のねじ山の高さを変えると、転造に際して塑性変形させる得る肉の量が同じであっても、高さの高い山は同高タイプに比べて高さ寸法を大きくできるため、基材に対するねじ山の食い込みが深くなり、このため、ねじ込み作業の迅速性を確保しつつ高い締結力を確保することができる。
【０００８】
しかし、従来のように２条のねじ山の高さが略全長にわたって同じであると、基材に深く打ち込んだときに抵抗が大きくなって、ねじ込みに強い力を要したり基材に割れが発生しやすくなったりすることがあった。
【０００９】
本願発明は、このような現状を改善することを課題とするものである。
【課題を解決するための手段】
【００１０】
本願発明は石膏ボード締結用の２条式木ねじに係るもので、この木ねじは、先端部を先窄まりに形成すると共に最先端を尖り先にしている軸と、前記軸の基端に設けた頭とを備えており、前記軸に、互いに平行に延びる第１ねじ山と第２ねじ山との２条のねじ山を、それぞれ前記軸の先端部から立ち上がって前記頭の側に延びるように形成している、という基本構成になっている。
【００１１】
そして、上記基本構成において、前記両ねじ山のうち第２ねじ山は、長手方向に沿った途中の境界部を挟んで先端部寄りのエリアでは高さが低くて頭寄りのエリアでは高さが高くなるように形成されている一方、前記第１ねじ山は、略全長にわたって前記第２ねじ山の低い部分と略同じ高さに設定されており、このため、前記２条のねじ山から成るねじ部は、前記第１ねじ山と第２ねじ山と高さが同じ程度になっている同高部と前記第２ねじ山の高さが第１ねじ山の高さより高くなっている異高部とを有していて前記同高部が軸の先端側に位置して異高部が頭側に位置しており、更に、前記異高部の谷径を前記同高部の谷径よりも大径に設定している、という構成において、
前記同高部と異高部とはストレート状であってテーパ状の連接部を介して繋がっており、前記異高部の谷径を前記同高部の谷径よりも大径に設定しており、このため、同高部の谷径をＤ１、異高部の谷径をＤ２、同高部における両ねじ山の外径をＤ３、異高部における第１ねじ山の外径をＤ４、異高部における第２ねじ山の外径をＤ５とすると、Ｄ１＜Ｄ２、Ｄ３＜Ｄ４＜Ｄ５の関係になっていると共に、更に、Ｄ２＜Ｄ３の関係になっており、
かつ、前記第２ねじ山は、異高部での山の角度を同高部での山の角度よりも小さい角度に設定している。
【発明の効果】
【００１３】
本願発明では、ねじ部のうち先端側に位置した同高部は両ねじ山の高さが同じであって異高部に比べてねじ山全体の体積が小さいため、ワークを基材に締結するにおいて、ワークに対する食い込み量が少なくなり、このため、基材への進入抵抗を抑制してねじ込みに要する力を軽減できると共に、基材に深く打ち込んでも割れを防止又は著しく抑制することができる。
【００１４】
そして、ねじ部のうち異高部は高さの高いねじ山が存在することにより、高さの高いねじ山は基材に深く食い込むことになり、このため高い締結強度を確保することができる。
【００１５】
このように、本願発明によると、同高部の存在によってねじ込み抵抗が小さく、異高部の存在によって高い締結強度を確保できるため、締結強度を低下させることなく軽快にねじ込みできると共に、基材の割れを防止又は著しく抑制することができる。
また、同高部の谷径が異高部の谷径よりも小さいことにより、基材に対する同高部の進入抵抗はより小さくなるため、ねじ込み力の低減と割れ防止との効果をより強く発揮することができる。
【発明を実施するための最良の形態】
【００１６】
次に、本願発明の実施形態を図面に基づいて説明する。
【００１７】
図１のうち（Ａ）は横向きにした状態での正面図、（Ｂ）は右側面図、図２は一部破断部分正面図、図３は使用状態を示す図である。木ねじは、軸１とその基端に一体に設けた頭２とを備えており、軸１には第１ねじ山３と第２ねじ山４との２条のねじ山が形成されている。頭２は座面が外向き凹状に湾曲したラッパ形になっており、頂面にはドライバ係合手段の一例としての十字穴５が形成されている。
【００１８】
軸１の先端部６は先窄まりでかつ最先端６ａは尖り先になっており、両ねじ山３，４は軸１の先端部６から立ち上がって座面の近傍まで延びている。本実施形態では、第２ねじ山４の始端が軸１の最先端６ａに位置しているが、第１ねじ山３の始端を最先端６ａに位置させても良い。
【００１９】
第１ねじ山３は、軸１の先端部６に位置した部分と終端部とを除いた部分の全体が略一定の高さになっている一方、第２ねじ山４は、軸１の長手方向に沿った途中（中間部とは限らない）の境界部４ａに到るまでは第１ねじ山３と略同じ高さであり、境界部４ａから高さが高くなっている。このため、２条のねじ山３，４からなるねじ部には、ねじ山３，４の高さが同じである同高部７と、ねじ山３，４の高さが異なった異高部８とが存在している。
【００２０】
本実施形態では、同高部７の谷径Ｄ１を異高部８の谷径Ｄ２よりも僅かに小さくしており、このため、同高部７における両ねじ山３，４の外径Ｄ３は異高部８における第１ねじ山３の外径Ｄ４よりも僅かに小さくなっている。同高部７と異高部８とはストレート状であり、連接部において谷径は徐々に変化している（連接部がテーパ状になっている。）。Ｄ３はＤ２より大きい。同高部７の谷径Ｄ１をあまり小さくするのは強度の面から好ましくなく、異高部８の谷径Ｄ２の７５〜９０％くらいが適当である。
【００２１】
いうまでもないが、連接部において第２ねじ山４の高さは徐々に変化している。また、本実施形態では、隣り合ったねじ山３，４の間には円柱状の谷部が存在している。第１ねじ山３の高さ及び同高部７における第２ねじ山両ね４の高さ寸法Ｈ１と異高部８における第２ねじ山４の高さ寸法Ｈ２との比率は約２倍程度に設定しているが、具体的な比率は用途に応じて設定したら良い（一般には、１．５〜２．５倍になる。）。両ねじ山３，４の山の角度θ１，θ２は２５〜３５°が好適であり、また、異高部８における第２ねじ山４の山の角度θ２は他の部分よりも小さくなっている。
【００２２】
本実施形態の２条式の木ねじは図３に示すように住宅において石膏ボード９を木製枠材１０に固定することに使用されるもので、異高部８における第２ねじ山４の外径Ｄ５は３．７〜４．０ｍｍ程度に設定していることが多い。
【００２３】
以上の構成において、動力ドライバを使用して石膏ボード９を木製枠材１０に固定するにおいては、図３に示すように、同高部７の後を追って異高部８が枠材１０に進入して行く。
【００２４】
そして、ねじ山３，４が２条であることによってねじ込みを迅速に行えるが、第２ねじ山４の高さが同高部７において低くなっているため、ねじ部全体として枠材１０に食い込む量が少なくなり、その結果、ねじ込みに要する力を低減できると共に割れの発生も防止又は著しく抑制できるのであり、しかも、異高部８において第２ねじ山４の高さが高くなっているため、第２ねじ山４を枠材１０にしっかりと食い込ませることができて、高い締結強度を確保できる。
【００２５】
同高部７の谷径Ｄ１が異高部８の谷径Ｄ２よりも小さく、枠材１０に対する同高部７の進入抵抗はより小さくなるため、ねじ込み力の低減と割れ防止との効果をより強く発揮することができる。
【００２６】
なお、同高部７と異高部８との長さの比率は、ワークの厚さや基材の材質に応じて最適の数値を設定したら良いが、同高部７の長さが過度に短いと、同高部７を設けたことの意味が没却される。ねじ込み抵抗の大きさは、異高部８の長さの絶対値よりも、異高部８が基材に進入する長さに依存しているので、異高部８が基材にどの程度進入するかという点を考慮して長さを設定すべきである。一般的には、同高部７の長さ寸法は、異高部８が基材に進入する長さ寸法よりも大きいか或いは同じ程度が良いといえる。
【００２９】
【００３０】
【００３１】
【００３２】
(3).その他
本願発明は上記の実施形態の他にも様々に具体化することができる。例えばねじ山は必ずしも頭の近傍まで延びている必要はなく、ねじ山の終端と頭との間に適宜長さのねじ無し部が存在しても良いのである。
【００３３】
また、本願発明において「略同じ」とは、加工誤差を除いて同一と見なし得る場合と、正確に測定したら相違するが見た目には殆ど変わらない場合とを含んでいる。１０％程度の相違は同一性の範囲内であると言える。
【図面の簡単な説明】
【００３４】
【図１】第１実施形態の正面図及び右側面図である。
【図２】一部破断部分正面図である。
【図３】第１実施形態の使用状態を示す図である。
【符号の説明】
【００３５】
１  軸
２  頭
３  第１ねじ山
４  第２ねじ山
６  先端部
６ａ  最先端
７  同高部
８  異高部
Ｄ１  同高部の谷径
Ｄ２  異高部の谷径
Ｄ３  同高部のねじ山の外径
Ｄ４  異高部における第１ねじ山の外径
Ｄ５  異高部における第２ねじ山の外径
θ１  同高部における第２ねじ山の山の角度
θ２  異高部における第２ねじ山の山の角度
【図１】
0004886214.tif 000002
【図２】
0004886214.tif 000003
【図３】
0004886214.tif 000004